(57)【特許請求の範囲】
【請求項１】
照明手段と、投射手段と、各々が光入出射面を有する赤，緑，青色表示用の３個の反射型ライトバルブ手段とを備え、前記照明手段は前記ライトバルブ手段を照明し、前記ライトバルブ手段にて形成した映像光を前記投射手段により投射して映像として表示する映像表示装置であって、
前記ライトバルブ手段の各々を冷却する3個の送風ファンと、１個の排気ファンとで構成される冷却手段と、
前記ライトバルブ手段を取付ける隔壁と、
前記隔壁の片側に形成され、前記ライトバルブ手段への入出射光路が形成される第１の空間と、
前記隔壁の他の側であって、前記冷却手段による冷却風の風路が形成される第２の空間とを有し、
前記ライトバルブ手段の光入出射面は前記第１の空間に面すると共に、前記光入出射面の反対側の面を前記第２の空間を流れる冷却風により冷却するように構成すると共に、
前記排気ファンの駆動と停止を選択的に制御可能としたことを特徴とする映像表示装置。
【請求項２】
前記冷却風の風路は、前記3個の送風ファンから前記排気ファンに向かうように構成され、温度の低い冷却対象物側から温度の高い冷却対象物側へ向かうようにしたことを特徴とする請求項１に記載の映像表示装置。
【請求項３】
照明手段と、投射手段と、光入出射面を有する反射型ライトバルブ手段と、外気を遮断した略密閉室とを備え、前記照明手段は前記反射型ライトバルブ手段を照明し、該反射型ライトバルブ手段で反射した光を前記投射手段により投射して映像として表示する映像表示装置であって、
少なくとも、前記照明手段から前記反射型ライトバルブ手段への入射光路が前記略密閉室内に形成されており、
前記略密閉室の外部に設けられ前記反射型ライトバルブ手段の姿勢を調整する姿勢調整手段を備えたことを特徴とする映像表示装置。
【発明の詳細な説明】
【技術分野】
【０００１】
本発明は、液晶パネル等のライトバルブ素子を利用して、スクリーン上に画像を拡大投写する投写型映像表示機構及び投射型映像表示装置に関する。
【背景技術】
【０００２】
液晶プロジェクタ、液晶テレビジョン、投写型ディスプレイ装置に代表される投写型映像表示装置は、光源(例えば、ランプ等)から出射された光をライトバルブ素子(例えば、液晶パネル等)に照射させることによって、ライトバルブ素子上の画像をスクリーン上に拡大投写させるものとして知られている。
【０００３】
従来より、この投写型映像表示装置については、光源から出射された光の吸収等による液晶パネル及びその周辺部品の加熱、液晶パネル付近の塵埃の浮遊が問題視されていた。液晶パネル及びその周辺部品の極度の加熱は、液晶パネルが正常な動作不能(最悪の場合には、液晶パネルの破壊)に陥る原因となり、液晶パネルの入射・出射面付近の塵埃の浮遊、特に、液晶パネルへの塵埃の付着は、スクリーン上に拡大投写される映像(以下、スクリーン映像と呼ぶ)の画質低下の原因となるからである。
【０００４】
そこで、多くの投写型映像表示装置には、これら２つの問題を解決するための対策がなされている。
【０００５】
例えば、ある種の投写型映像表示装置には、液晶パネル専用の冷却装置が設けられており、液晶パネルが所定の温度(例えば、６０度Ｃ程度)以上に加熱されないようになっている。そして、これにより、半導体の駆動素子及び液晶等の光学機能材料によって構成されている液晶パネルの正常な動作が確保されている。更に、例えば、それ自身が入力の３割程度の発熱をし、且つ、可視光領域以外の光(例えば、波長が４００ｎｍ〜７００ｎｍの光)、即ち、紫外線領域の光(例えば、波長が４００ｎｍ未満の光)や赤外線領域の光(例えば、波長が７００ｎｍよりも大きな光)を除去するために入力エネルギの多くを熱エネルギーとして放出すると合計入力の半分以上が熱となる光源にも、通常、それ専用の冷却装置が設けられている。尚、これらの冷却装置としては、取扱いが簡便な送風ファン等の空冷式冷却装置が用いられるのが一般的である。
【０００６】
また、特開平７−１５２００９号公報記載の映像表示装置においては、液晶パネル付近への塵埃の侵入防止を図るべく、密閉空間の内部に透過型液晶パネルが収容されている。更に、液晶パネルの加熱防止を図るべく、この密閉空間の内部で空気を循環させている。
【０００７】
そして、特開昭６４−５１７４号公報記載の映像表示装置においては、高精細映像の場合における光の利用効率の向上を実現すべく、入出射面の裏側の面(以下、裏面と呼ぶ)を放熱面として利用することができる反射型液晶パネルが使用されている。更に、特開昭６２−２９４２３０号公報記載の映像表示装置においては、反射型液晶パネルの裏面を放熱面としてより有効に活用すべく、反射型液晶パネルの背面側に冷却装置が配置されている。
【０００８】
【特許文献１】特開平７−１５２００９号公報
【特許文献２】特開昭６４−５１７４号公報
【特許文献３】特開昭６２−２９４２３０号公報
【発明の開示】
【発明が解決しようとする課題】
【０００９】
ところが、上記従来の投写型映像表示装置においては、個々の発熱体(光源及び液晶パネル)についてそれぞれ専用の送風ファンが搭載されているため、セットの信頼性、コストの上昇の点で、従来、十分に認識されていなかった。このため、冷却機構の構造の簡略化も要望されていた。更に、排気口の向きによっては、排気口から排気された温風が観者に吹き当てられたり、スクリーン上に投射される投射光の光路上に発生した空気揺らぎによってスクリーン映像に揺らぎが発生するというような点で、従来、十分に認識されていなかった。
【００１０】
一方、上記公報記載の映像表示装置は、何れも、液晶パネル及びその周辺部品の加熱、液晶パネルの入出射面付近の塵埃の浮遊という２つの問題の双方を完全解決するには到らないものであった。即ち、装置自体の信頼性確保と、スクリーン映像の画質向上とを両立させることができないものであった。
【００１１】
例えば、特開昭６２−２９４２３０号公報記載の映像表示装置や、特開昭６４−５１７４号公報記載の映像表示装置には、前述したように液晶パネルの加熱を防止するための処理はなされているが、液晶パネルの入出射面付近の塵埃の浮遊を防止するための特別な処置が施されていない。従って、スクリーン映像には、塵埃の影が含まれる可能性が極めて高い。その上、特開昭６２−２９４２３０号公報記載の映像表示装置は、装置全体が加熱されているにも関わらず、液晶パネルのみを局所的に冷却するだけの冷却方式を採用しているため、十分な冷却効果が得られることは期待できない。従って、装置自体の信頼性は、必ずしも保証されない。
【００１２】
一方、特開平７−１５２００９号公報記載の映像表示装置は、液晶パネルの入出射面付近の塵埃の浮遊防止及び液晶パネル及びその周辺部品の加熱防止の双方の達成を図ったものではあるが、密閉空間内の空気を媒介とした冷却方式を採用しているものであるため、スクリーン映像の明るさについての要求が強まり、液晶パネルの発熱量が増加する傾向にある最近においては、十分な冷却効果が得られることは期待できない。従って、装置自体の信頼性は必ずしも保証されない。  そこで、本発明は、投写型映像表示装置の信頼性を低下させることなく、その内部構造の簡略化と、その鑑賞環境の改善とを達成することを第一の目的とする。更に、こうした投写型映像表示装置によって投写されるスクリーン映像の画質の向上を併せて達成することを第二の目的とする。
【課題を解決するための手段】
【００１３】
上記課題を解決するため、本発明は、照明手段と、投射手段と、光入出射面を有する反射型ライトバルブ手段と、冷却手段とを備えた映像表示機構であって、前記反射型ライトバルブ手段の冷却手段の一部と、前記照明手段の冷却手段の一部とを兼用してなることを特徴とする映像表示機構を提供する。
【００１４】
このような構造によれば、従来のようにライトバルブと光源について個々に送風ファンを設ける必要がない。従って、映像表示機構の信頼性を低下させることなく、その内部構造の簡略化を図ることができる。また、必ずしも個々の発熱体毎に送風ファンを設ける必要がなくなったため、鑑賞環境の改善が達成される。
【発明の効果】
【００１５】
本発明の映像表示機構及びこれを用いた映像表示装置では、照明手段とライトバルブ手段の冷却手段の間をダクトでつなぎ、双方の冷却手段を１つのファンで兼用する構成とし、さらにライトバルブ手段の光入出射面側を密閉空間にしたため、次のような効果を有する。
【００１６】
装置全体のファンの数を減らすことができ、装置構成の簡略化及び信頼性の向上をはかることができる。また、ファンの数が減ることにより、装置の騒音も減らすという効果がある。さらに、ライトバルブ手段の防塵と装置の冷却の簡略化を両立できるという効果もある。
【００１７】
また、別の一実施の形態では、照明手段とライトバルブ手段との間をダクトでつなぎ、双方の冷却手段を１つあるいは２つのファンを選択的に運転制御することができるため、装置の動作状況や環境条件に対応して、最適な動作を設定することが可能となる効果がある。
【００１８】
また、さらに冷却手段の一部であるファン手段を設置する／しないを選択できる構造としたため、使用する素子の種類や照明の明るさ、用途向けによる違いなど、種々の動作条件に適合した最適な冷却性能の装置を提供する事が可能となる効果がある。
【００１９】
さらに、投写光束の光軸と排気方向とを所定の範囲内にしたため、鑑賞環境の改善を実現することができるという効果がある。
【発明を実施するための最良の形態】
【００２０】
以下，本発明を添付の図面に従い説明する。
【実施例１】
【００２１】
以下、添付の図面を参照しながら、本発明に係る、第一番目の実施の形態について説明する。
【００２２】
最初に、図１により、本実施の形態に係る投写型映像表示装置の概略構成について説明しておく。
【００２３】
本投写型映像表示装置１００の外装ケース１ａ,１ｂの内部には、光源(本実施の形態ではランプ)、反射型液晶パネルその他の光学素子等が収容されている。そして、使用の際には、図２に示すように、上側の外装ケース１ａに取り付けられたフタ１１を開くことによって、光学系を構成する第三ミラーレンズ２１だけを外装ケース１ａ,１ｂの内部から取り出すようになっている。尚、本投写型映像表示装置１００に使用されているミラーレンズとは、何れも、曲面形状(球面形状または非球面形状)の鏡面を有する結像用の光学部品である。従って、それらのミラーレンズは、何れも、同様な機能を有する光学素子、例えば、屈折レンズ、屈折レンズとミラーとの組合せ等によって代替することが可能である。
【００２４】
そして、この状態で光源を点灯させると、図３に示すように、反射型液晶パネルに書き込まれた映像の情報を含んだ光束３が、第三ミラーレンズ２１で反射されて、スクリーン上に照射される。このときの光束３の光路をより詳細に説明すると、以下の通りである。
【００２５】
図４に示すように、光源７１から出射された適当な光量の光束は、まず、インテグレータ６３を透過した後、ミラー６４で反射し、更にインテグレータ６５を透過してから、ミラー３１で反射し、２枚のダイクロイックミラー３２,３３へと導かれる。そして、これらダイクロイックミラー３２,３３によって各色成分(例えば、赤、緑、青等の色成分)に分離された光束は、それぞれ、各色表示用の反射型液晶パネル９１Ａ,９１Ｂ,９１Ｃの光入出射面に所定の入射角(≠０)で入射する。そして、各色表示用の反射型液晶パネル９１Ａ,９１Ｂ,９１Ｃで各画素毎に変調される。ここで、各反射型液晶パネル９１Ａ,９１Ｂ,９１Ｃの光入出射面に所定の入射角で光束を入射させているのは、各反射型液晶パネル９１Ａ,９１Ｂ,９１Ｃにおける反射によって、ミラー３１から進行してくる光束と、後述の第一ミラーレンズ２５へと進行する変調後の光束とを分離するためである。
【００２６】
そして、各色表示用の反射型液晶パネル９１Ａ,９１Ｂ,９１Ｃで反射した変調後の光束は、それぞれ、再度、２枚のダイクロイックミラー３２,３３へと導かれる。そして、これら２枚のダイクロイックミラー３２,３３で一つの光束に合成されてから、第一ミラーレンズ２５で反射した後、第二ミラーレンズ２２で反射し、外装ケース１ａ,１ｂの外部に取り出されている第三ミラーレンズ２１へと導かれる。
【００２７】
これにより、スクリーン(不図示)上には、各色表示用の反射型液晶パネル９１Ａ,９１Ｂ,９１Ｃに書き込まれたカラー画像が拡大投写されることになる。以下において、光源７１から反射型液晶パネル９１Ａ,９１Ｂ,９１Ｃまでの光路Ａ1→Ａ2→Ａ3を照明側光路とし、反射型液晶パネル９１Ａ,９１Ｂ,９１Ｃからスクリーンまでの光路Ａ4→Ａ5→Ａ6→Ａ7を投写側光路とする。
【００２８】
また、この外装ケース１ａ,１ｂには、所定の各領域に、吸気口１２、排気口１３が空けられている。そして、この外装ケース１ａ,１ｂの内部には、排気口１３に向い合うように排気ファンが収容されている。吸気口１２からの外気は、外装ケース１ａ,１ｂの内部を通過し、光学ユニットの吸気口に向かっている。
【実施例２】
【００２９】
以下、本発明に係る、第二番目の実施の一形態について説明する。
【００３０】
外装ケース１ａ,１ｂには、適当な位置に、第二ミラーレンズ２２の位置を微調節するための焦点合せ用ダイアルノブ１４が設けられており、スクリーン上に拡大投写された映像(以下、スクリーン映像と呼ぶ)のピント合わせを操作者が簡単に行うことできるようになっている。
【００３１】
以上説明した概略構成を前提におきつつ、以下、この投写型映像表示装置１００の内部構造をより具体的に説明する。
【００３２】
本投写型映像表示装置１００の外装ケース１ａ,１ｂの内部には、図５に示した光学ユニット５００が、そのまま組み込まれている。
【００３３】
そして、この光学ユニット５００には、所定のレイアウト通りに前述の光学素子等が搭載されている。例えば、第三ミラーレンズ２１は、上側ユニットケース４ｂに設けられた開閉機構２３によって枢支され、第二ミラーレンズ２２は、上側ユニットケース４ｂに設けられた合焦機構８の可動部に固定されている。そして、この合焦機構８の可動部は、焦点合せ用ダイアルノブ１４の回転に伴い前後に移動するようになっている。
【００３４】
また、各反射型液晶パネル９１Ａ,９１Ｂ,９１Ｃは、図６に示すように、下側ユニットケース４ａに固定された姿勢調整機構９Ａ,９Ｂ,９Ｃによって支持されている。そして、下側ユニッケース４ａに上側ユニットケース４ｂを装着すると、これら２つのユニットケース４ａ,４ｂの壁面によって、インテグレータレンズ６５から第一ミラーレンズ２５に到る迄の光路Ａ2→Ａ3→Ａ4→Ａ5を遮蔽する密閉室(図５の４ｇの内部に相当)が形成されるようになっている。また、上側ユニット４ｂには、第一ミラーレンズ２５で反射した光束を第二ミラーレンズ２２に向けて出射させるための窓が形成されている。但し、この窓には、透明部材で形成された絞り２４が嵌め込まれている。従って、塵埃を含む外気から密閉室の内部が完全に遮断されるようになっている。即ち、このような密閉室構成を採用すれば、スクリーン映像の画質に悪影響を与える塵埃が、各反射型液晶パネル９１Ａ,９１Ｂ,９１Ｃの光入出射面、即ち、ミラーレンズ群の焦点面付近に侵入するのをほぼ完全に防止することができる。
【００３５】
更に、下側ユニットケース４ａには、前述の送風ファン４５Ｃが取付板９８によって取り付けられている。尚、反射型液晶パネル９１Ｃの入出射面の反対側の面には、放熱面の面積を増加させるための放熱フィン９２Ｃが設けられている。
【００３６】
また、光源７１は、図７に示すように、下側ユニットケース４ａに固定されたランプケース７の内部に収容されている。そして、下側ユニットケース４ａには、前述の排気ファン４１が、ランプケース７の内部に面するように嵌め込まれている。従って、この排気ファン４１の駆動によって、外装ケース１ａ,１ｂの排出口１３からは、ランプケース７の内部の空気が積極的に排出されることになる。
【００３７】
そして、密閉室の外壁と下側ユニットケース４ａに装着された導風板(図６の４２)とによって、反射型液晶パネル９１Ａ,９１Ｂ,９１Ｃの内の１つの反射型液晶パネル９１Ｂを支持している姿勢調整機構９Ｂ付近からランプケース７の内部へと送風Ｂ4を導くダクト４９Ｂが形成されている。同様に、密閉室の外壁と下側ユニットケース４ａの側壁とによって、もう１つの反射型液晶パネル９１Ａを支持している姿勢調整機構９Ａ付近からも、ランプケース７の内部へと送風Ｂ2を導くダクト４９Ａが形成されている。尚、光源７１から照射された光の吸収によって加熱されているランプケース７の内部へと確実に送風Ｂ2,Ｂ4を導くことができるように、送風Ｂ2,Ｂ4の風向は、風向ガイド４７、導風板４２に形成されているフィン４２ａによって規制されている。
【００３８】
従って、排出ファン４１を駆動させて、排気口１３から空気Ｂ3,Ｂ6を排気すると、ランプケース７内部の圧力が低下して、一方の反射型液晶パネル９１Ｂの入出射面の反対側の面付近の空気Ｂ4が、姿勢調整機構９Ｂの上下の隙間からダクト４９Ｂに流入し、このダクト４９Ｂを通過してから、ランプケース７の内部へと流入する。同様に、他方の反射型液晶パネル９１Ａの入出射面の反対側の面付近からの空気Ｂ2も、姿勢調整機構９Ａの上下の隙間からダクト４９Ａに流入し、ダクト４９Ａを通過してから、ランプケース７の内部へと流入する。また、光学ユニット５００の外部の新しい空気は、光学ユニット５００の外周を回って吸入口に達する。尚、２つの反射型液晶パネル９１Ａ,９１Ｂの入出射面の反対側の面には、それぞれ、放熱フィン９２Ａ,９２Ｂが設けられている。
【００３９】
このように２本のダクト４９Ａ,４９Ｂを形成したことによって、共用の排気ファン４１を１台しか設けていないにも関わらず、２枚の反射型液晶パネル９１Ａ,９１Ｂとランプリフレクタ７１ａとに向けて絶えず新たな外気を流入させることができる。従って、光学ユニット５００の全体、２枚の反射型液晶パネル９１Ａ,９１Ｂと、赤外線領域及び紫外線領域の光線の吸収によって発熱したランプリフレクタ７１ａとを、絶えず流れ込んでくる新たな外気と熱交換させることができる。また、光源７１自体の熱も、光源７１の発光管とランプリフレクタ７１ａとの接触部分を介して十分に放熱させることできる。また、ここでは、光学ユニット５００の外周にも外気を回り込ませることとしているため、光学ユニット５００全体に蓄えられた熱も十分に放熱させることができる。
【００４０】
尚、ランプケース７の内部に流入する空気Ｂ2,Ｂ4が、既に反射型液晶パネル９１Ａ,９１Ｂからの熱を受け取っているため、ランプリフレクタ７１ａの冷却効率が低下するように危惧されるが、低温側から高温側に向けて空気を導いているため、このような危惧は全く無用である。例えば、吸気口１２から導入された常温(例えば、２５℃程度)の空気は、動作温度が例えば６０℃程度に過ぎない反射型液晶パネル９１Ａ,９１Ｂからの放熱では、せいぜい３０℃程度にしか昇温しない。従って、これよりもはるかに高い動作温度(例えば、３００℃程度)のランプ７１近傍にあるランプリフレクタ７１ａの冷却効率が低下することがあり得ないことは言うまでもなく明らかである。
【００４１】
即ち、このようなダクト構造を採用することによって、使用中に発生する熱による液晶パネルの破壊等の故障発生率を低下させることができる。また、騒音を発する排気ファンを発熱体毎に個別に設ける必要がなくなるため、観者に不快感を与えることがなくなる上に、装置の内部構造を簡略化することができるという利点もある。
【００４２】
３つの液晶パネルすべてを排出ファン４１で冷却しない場合でも、セット全体の構成を簡略化でき、信頼性の向上と部品点数の削減が可能になるなどの効果は変らない。
【００４３】
本実施の形態では、３つの液晶パネルの内の２つについて照明側の冷却手段の一部と兼用する構成とし、残りの１つの液晶パネルについては専用ファンで冷却するようにしたが、３つのファン全てを兼用とする場合、２つファンについて専用ファンとし、残りの１つのファンとして、残りの１つのファンについて兼用とする場合のいずれであっても、同様な効果が得られることはいうまでもない。
【００４４】
図８は、本発明に係る、第２番目の実施の一形態の内部構成を示す分解図である。映像表示機構５００は、下側ユニットケース４ａ部分と、上側ユニットケース４ｂとにわかれ、これらのケースが密閉空間の主要部分を構成している。また、冷却が必要な液晶を支持している姿勢調整機構９からは、ランプケース部に向かって導風路(ダクト)が接続されている。ダクトの一部として導風板４２が蓋の役割を果たしている。また、液晶パネルの姿勢調整機構９部分付近には、吸気側のファン４５が設けてある。３つの液晶パネルそれぞれに１つづつ合計３個のファンが設けてある。
【００４５】
尚、下側ユニットケース４ａの中央付近にある反射型液晶パネル９１Ｂ専用の送風ファン４５Ｂは、下側ユニットケース４ａの底面に窓を形成し、この窓に取付板によって取り付ければよい。
【００４６】
このようすれば、動作温度が比較的低い場合には、排気ファン４１を停止し、３つ送風ファン４５Ａ,４５Ｂ,４５Ｃの内の一部または全部を駆動する等、個々の使用状況に応じて機動的にファンの使い分けを行うことができるようになる。また、排気ファン４１と共に全ての送風ファン４５Ａ,４５Ｂ,４５Ｃを駆動することは、騒音の改善という観点からは不利であるが、図９に示すように、全ての反射型液晶パネル９１Ａ,９１Ｂ,９１Ｃの入出射面の反対側の面側に空気が積極的に導入され、いわゆるプッシュ・プル動作がなされるため、より多量の送風を必要とする場合、ダクト内における圧力損失が大きい(風の抵抗が大きい)場合等には非常に有利である。
【００４７】
そして、仮に、このようにした場合であっても、２台の送風ファン４５Ａ,４５Ｂを取り外し、これら送風ファン４５Ａ,４５Ｂを下側ユニットケース４ａに固定していた取付板９８を仕切板(図６の９９)に交換するだけで、簡単に、図５及び図６に示した形態にすることができる。従って、例えば、１２０ワット程度の通常の光源の使用が予定されている場合には、図５及び図６に示した形態を採用し、その２.５倍の３００ワットもの光源の使用が予定されている場合には、図８及び図９に示した形態を採用する使用するというように、個々の用途毎に定まる光源のワット数その他の使用条件に応じて、送風ファン４５Ｃの他に搭載する送風ファンの台数を選択することができる。更に、３台の送風ファン４５Ａ,４５Ｂ,４５Ｃだけで十分に対応可能である場合、例えば、比較的ワット数の小さい光源(例えば、５０Ｗ程度等)の使用が予定されている場合等には、図１０に示したように、２台の送風ファン４５Ａ,４５Ｂを取り外さずに、むしろ、位置的に騒音が外部に漏れやすい排出ファン４１の方を取り外すというような選択肢もある。
【実施例３】
【００４８】
図１０は、本発明に係る、第３番目の実施の一形態を示す斜視図である。
【００４９】
図１０により、外装ケース１ａ,１ｂの排気口１３からの排気の進行方向と、スクリーン上に投射される光束３の光路との最適な位置関係について説明する。
【００５０】
外装ケース１ａ,１ｂの排気口１３の中心軸、即ち、排気口１３からの排気の進行方向１７と、スクリーン上に投射される光束３の光軸３ａとのなす角θが３０度よりも小さいと、外装ケース１ａ,１ｂの排気口１３から排気される温風によって、第三ミラーレンズ２１で反射された光束３の光路上に空気揺らぎが発生し、スクリーン映像が揺らぐという不具合を生じることが実験的に確認されている。また、スクリーンに面していない方の側面に排気口がある場合等のように、この角θが９０度よりも大きいと、投写型映像表示装置１００の横や後に温風をまき散らし、観者に不愉快な思いをさせるという不具合を生じることも実験的に確認されている。
【００５１】
従って、この角θを約３０度以上９０度以下の範囲内に収めることを念頭に置いて、換言すれば、スクリーン上に投射される光束３の光軸３ａと異なる高さの進路に沿って排気を吹き出させることを念頭に置いて、使用時における第三ミラーレンズ２１の姿勢、使用時における第三ミラーレンズ２１と排気口１３との位置関係を設計することが望ましい。尚、この角θの現実的な値は、５０度程度である。
【実施例４】
【００５２】
図１１は、本発明による第４番目の一実施の形態の内部構成を示す断面図である。すなわち、液晶パネル側の吸気口側にファンを設け、排出側にはファンをおかないというものである。
【００５３】
このようにすると、例えば、照明手段のランプの出力を例えば５０Ｗなどに下げたような場合、排気ファンによらず、吸気側の小型ファンのみで全体の冷却が可能な場合がある。このような場合には、図１１のように、吸気側のファンのみでも対応可能となる。
【００５４】
すなわち、吸気側ファン４５Ａから流線Ｂ1のように吸気された空気は、放熱フィンＡ９２Ａで熱交換され、ダクト４９Ａを通りランプケース７側に進む。また、吸気ファンＢ４５Ｂから流線Ｂ4のように吸気された空気は、放熱Ｂ９２Ｂで熱交換され、ダクト４９Ｂを通りランプケース７側に進む。ランプケース７内で、ランプ７１の外周を通ってランプと熱交換した空気は流線Ｂ5及び流線Ｂ3のように外部に排気される。このようにすることにより、排出側のファンを除去できるため、排出口から外部へのファンの騒音を低減することが可能となる。
【実施例５】
【００５５】
図１２は、本発明に係る、第５番目の実施の形態の内部構造を示す断面図である。すなわち、液晶パネル側の吸気口側と照明手段側の排出口の中間に中間ファン６００を設置したものである。
【００５６】
中間ファン６００は、吸気口側で空気を吸い込み、逆に排気側では風を送り出す。このため、中間ファン６００により吸気口側から流線Ｂ１のように吸気された空気は、放熱フィンＡ９２Ａで熱交換され、流線Ｂ２のようにダクト４９Ａ及び中間ファン６００を経てランプケース７側に進む。ランプケース７内で、ランプ７１の外周を通ってランプと熱交換した流線Ｂ空気は流線Ｂ５及び流線Ｂ３のように外部に排気される。
【００５７】
このようにすると、排出口にファンから風が直接でないため、騒音を低減でき、さらに、吸気口側でなく、中間に設けてあるため、ファンの圧力損失による風量低下のおそれもなくなる。
【００５８】
上記した、実施形態では、ライトバルブ手段として、反射液晶パネル方式を用いたもので説明したが、他の形態のライトバルブ素子、例えば透過型液晶パネル方式、マイクロミラー（微少鏡駆動）方式、レーザ液晶書き込み方式などであっても同様の効果があることは言うまでもない。また、光学系には反射鏡レンズを用いるもので説明したが、反射鏡レンズ以外の光学素子、例えば屈折レンズを用いるもに、あるいは屈折レンズと反射鏡レンズの組み合わせなどを用いたものであっても同様の効果を得ることができることはいうまでもない。
【００５９】
また、実施形態の説明では、映像表示機構部分とこれを内蔵した映像表示装置の２つをまとめて説明したが、映像表示機構部分のみ、もしくはこれを内蔵した映像表示装置いずれであっても同様な効果を得ることができることはいうまでもない。すなわち、映像表示機構部分を、建物などに直接組み込むような使い方をした場合で、その外装部分が建物と一体となるような場合、あるいは、映像表示機構部分を大きな筐体に収め、筐体の外壁部分に透過型スクリーンをおき、このスクリーンに投射する装置として実施したような場合であっても、同様な効果が得られる。
【図面の簡単な説明】
【００６０】
【図１】本発明の第一番目の実施の一形態に係る投写型映像表示装置の外観図である。
【図２】本発明の第一番目の実施の一形態に係る投写型映像表示装置の使用時における外観図である。
【図３】本発明の第一番目の実施の一形態に係る投写型映像表示装置から投射された投射光の光路を概念的に示した図である。
【図４】本発明の第一番目の実施の形態に係る投写型映像表示装置の光学系の概略構成を示した図である。
【図５】(ａ)は、本発明の第一番目の実施の形態に係る光学ユニットの外観図であり、(ｂ)は、その反対側からの外観図である。
【図６】本発明の第一番目の実施の形態に係る光学ユニットの基本構造を説明するための図である。
【図７】図５の光学ユニットの断面図である。
【図８】本発明の第二番目の実施の形態に係る光学ユニットの基本構造を説明するための図である。
【図９】図８の光学ユニットの断面図である。
【図１０】本発明の第三番目の実施の形態を説明するための図である。
【図１１】本発明の第四番目の実施の形態に係る、スクリーン上に投射される光束の光路と、排気口からの排気の方向との位置関係を説明するための図である。
【図１２】本発明の第五番目の実施の形態に係るダクト中にファンを設けた例の断面図である。
【符号の説明】
【００６１】
１ａ,１ｂ…外装ケース、３…光束、４ａ,４ｂ…ユニットケース、４ｇ…密閉室、７…ランプケース、８…合焦機構、９Ａ,９Ｂ,９Ｃ…姿勢調整機構、１１…フタ、１２…吸気口、１３…排気口、１４…焦点合せ用ダイアルノブ、２１…第三ミラーレンズ、２２…第二ミラーレンズ、２３…開閉機構、２４…透明部材、２５…第一ミラーレンズ、３１…ミラー、３２…ダイクロイックミラー、３３…ダイクロイックミラー、４１…排気ファン、４２…導風板、４２ａ…フィン、４５Ａ,４５Ｂ,４５Ｃ…送風ファン、４７…風向ガイド、４９Ａ,４９Ｂ…ダクト、６３…インテグレータ、６４…ミラー、６５…インテグレータ、７１…光源(ランプ)、７１ａ…ランプリフレクタ、９１Ａ,９１Ｂ,９１Ｃ…反射型液晶パネル、９２Ａ,９２Ｂ,９２Ｃ…放熱フィン、９８…取付板、１００…投写型像表示装置、５００…光学ユニット。
【図１】
0003627752.tif 000002
【図２】
0003627752.tif 000003
【図３】
0003627752.tif 000004
【図４】
0003627752.tif 000005
【図５】
0003627752.tif 000006
【図６】
0003627752.tif 000007
【図７】
0003627752.tif 000008
【図８】
0003627752.tif 000009
【図９】
0003627752.tif 000010
【図１０】
0003627752.tif 000011
【図１１】
0003627752.tif 000012
【図１２】
0003627752.tif 000013